(57)【要約】【課題】車載器に対する操作と、当該車載器に装着された表示端末に対する操作との両方を好適に受け付けることが可能な情報出力装置を提供する。【解決手段】オーディオ機器１は、操作子４と、表示端末２を着脱可能に支持する支持部５Ａ〜５Ｃと、制御部１７とを備える。制御部１７は、支持部５Ａ〜５Ｃに表示端末２が装着されていない場合には、操作子４が受け付けた操作をオーディオ機器１に対してのみ有効とし、支持部５Ａ〜５Ｃに表示端末２が装着されている場合には、操作子４が受け付けた操作を少なくとも表示端末２に対して有効とする。【選択図】図１
2018055536.tif 000002
【特許請求の範囲】
【請求項１】
情報出力装置であって、
操作部と、
表示端末を着脱可能に支持する支持部と、
前記支持部に前記表示端末が装着されていない場合には、前記操作部が受け付けた操作を前記情報出力装置に対してのみ有効とする制御部と、を備え、
前記制御部は、
前記支持部に前記表示端末が装着されている場合には、前記操作部が受け付けた操作を少なくとも前記表示端末に対して有効とすることを特徴とする情報出力装置。
【請求項２】
前記操作部が受け付けた操作に応じたコマンド信号を、前記表示端末に対して送信する第１送信部を備えることを特徴とする請求項１記載の情報出力装置。
【請求項３】
コンテンツに関するコンテンツ情報を記憶する記憶部と、
前記コンテンツ情報を前記表示端末に対して送信する第２送信部と、を備え、
前記制御部は、前記表示端末が前記支持部に装着されている場合には、
所定の条件に応じて、前記コンテンツ情報を、前記表示端末へ前記第２送信部により送信することを特徴とする請求項１又は２記載の情報出力装置。
【請求項４】
前記制御部は、前記所定の条件として、前記操作部への所定の操作があった場合、所定の動作若しくは音声入力があった場合、又は前記表示端末への所定の操作があった場合に、前記コンテンツ情報を前記第２送信部に送信させることを特徴とする請求項３記載の情報出力装置。
【請求項５】
前記支持部に前記表示端末が装着されていない場合に、出力するコンテンツに関する基本情報の表示を行う表示部を備え、
前記制御部は、前記支持部に前記表示端末が装着されている場合に、前記基本情報と共に前記表示端末に表示させる前記コンテンツに関する追加情報を、前記コンテンツ情報として前記第２送信部により前記表示端末に送信することを特徴とする請求項３又は４記載の情報出力装置。
【請求項６】
前記支持部を移動自在に保持する筺体部を備え、
前記筺体部は、
前記支持部が前記表示端末を支持する場合に、前記表示端末が装着される側の面である装着面より前記支持部を突出させ、
前記支持部が前記表示端末を支持しない場合に、前記支持部を収納することを特徴とする請求項１〜５のいずれか一項記載の情報出力装置。
【請求項７】
前記筺体部は、前記支持部が前記表示端末を支持しない場合に、前記装着面と前記支持部の一の面とが、略同一平面となるように前記支持部を収納することを特徴とする請求項６記載の情報出力装置。
【請求項８】
前記支持部は、複数の支持手段を備え、
前記複数の支持手段のうちの、少なくとも２つの支持手段間の幅は調整可能であり、
前記操作部は前記複数の支持手段のうち少なくとも１つの支持手段に設けられていることを特徴とする請求項１〜７のいずれか一項記載の情報出力装置
【請求項９】
前記支持部が前記表示端末を支持する場合に、前記表示端末の正面視において、前記操作部の少なくとも一部は、前記表示端末の表示部と重なることを特徴とする請求項８記載の情報出力装置。
【請求項１０】
操作部と、表示端末を着脱可能に支持する支持部と、を有する情報出力装置が実行する制御方法であって、
前記支持部に前記表示端末が装着されていない場合には、前記操作部が受け付けた操作を前記情報出力装置に対してのみ有効とする制御工程を有し、
前記制御工程では、前記支持部に前記表示端末が装着されている場合には、前記操作部が受け付けた操作を少なくとも前記表示端末に対して有効とすることを特徴とする制御方法。
【請求項１１】
操作部と、表示端末を着脱可能に支持する支持部と、を有する情報出力装置のコンピュータが実行するプログラムであって、
前記支持部に前記表示端末が装着されていない場合には、前記操作部が受け付けた操作を前記情報出力装置に対してのみ有効とする制御部
として前記コンピュータを機能させ、
前記制御部は、
前記支持部に前記表示端末が装着されている場合には、前記操作部が受け付けた操作を少なくとも前記表示端末に対して有効とすることを特徴とするプログラム。
【請求項１２】
請求項１１に記載のプログラムを記憶した記憶媒体。
【発明の詳細な説明】
【技術分野】
【０００１】
本発明は、ユーザの操作に基づき情報を出力する技術に関する。
【背景技術】
【０００２】
従来から、スマートフォンなどの表示端末と車載器とを連携させて所定の情報を出力するシステムが知られている。例えば、特許文献１には、表示端末の差し込み口を有する車載器であって、表示端末が差し込み口に差し込まれることで、表示端末のアプリケーションが起動する車両表示装置が開示されている。
【先行技術文献】
【特許文献】
【０００３】
【特許文献１】特開２０１４−９４６２４号公報
【発明の概要】
【発明が解決しようとする課題】
【０００４】
車載器と表示端末とを連携させるシステムにおいて、表示端末を操作する場合、表示端末の表示画面をタッチ操作等により直接操作する必要がある。車両内でこの様な操作をする際には、画面をタッチするために操作画面を注視しなければならず、操作しにくいという課題があった。特許文献１には、このような課題については、何ら開示されていない。
【０００５】
本発明は、上記のような課題を解決するためになされたものであり、車載器に対する操作と、当該車載器に装着された表示端末に対する操作との両方を好適に受け付けることが可能な情報出力装置を提供する。
【課題を解決するための手段】
【０００６】
請求項に記載の発明では、情報出力装置であって、操作部と、表示端末を着脱可能に支持する支持部と、前記支持部に前記表示端末が装着されていない場合には、前記操作部が受け付けた操作を前記情報出力装置に対してのみ有効とする制御部と、を備え、前記制御部は、前記支持部に前記表示端末が装着されている場合には、前記操作部が受け付けた操作を少なくとも前記表示端末に対して有効とすることを特徴とする。
【０００７】
請求項に記載の発明では、操作部と、表示端末を着脱可能に支持する支持部と、を有する情報出力装置が実行する制御方法であって、前記支持部に前記表示端末が装着されていない場合には、前記操作部が受け付けた操作を前記情報出力装置に対してのみ有効とする制御工程を有し、前記制御工程では、前記支持部に前記表示端末が装着されている場合には、前記操作部が受け付けた操作を少なくとも前記表示端末に対して有効とすることを特徴とする。
【０００８】
請求項に記載の発明では、操作部と、表示端末を着脱可能に支持する支持部と、を有する情報出力装置のコンピュータが実行するプログラムであって、前記支持部に前記表示端末が装着されていない場合には、前記操作部が受け付けた操作を前記情報出力装置に対してのみ有効とする制御部として前記コンピュータを機能させ、前記制御部は、前記支持部に前記表示端末が装着されている場合には、前記操作部が受け付けた操作を少なくとも前記表示端末に対して有効とすることを特徴とする。
【図面の簡単な説明】
【０００９】
【図１】第１実施例に係る情報出力システムを示す。
【図２】オーディオ機器の正面図を示す。
【図３】オーディオ機器の斜視図を示す。
【図４】概略的なオーディオ機器の俯瞰図である。
【図５】筺体部内における支持部に関する機構を明示した透過図である。
【図６】オーディオ機器の概略的なブロック構成を示す。
【図７】表示端末の概略的なブロック構成を示す。
【図８】ナビアプリが生成する経路案内画面を表示した表示端末の装着状態での正面図を示す。
【図９】ナビアプリが生成する経路案内画面を表示した表示端末の非装着状態及び装着状態での正面図を示す。
【図１０】長手方向におけるディスプレイの長さが同一であって額縁の長さが異なる表示端末をそれぞれオーディオ機器に装着した際の経路案内画面の表示例を示す。
【図１１】オーディオ機器が出力する音楽データに関するミュージック画面が操作対象である場合のディスプレイの表示例を示す。
【図１２】オーディオ機器から供給される動画コンテンツの再生時でのディスプレイの表示例を示す。
【図１３】操作説明画面の表示例である。
【図１４】表示端末と連携した出力制御に関するオーディオ機器の処理手順の一例を示すフローチャートである。
【図１５】オーディオ機器と連携した出力制御に関する表示端末の処理手順の一例を示すフローチャートである。
【図１６】第２実施例に係る情報出力システムの概略構成を示す。
【図１７】表示端末支持具のブロック構成を示す。
【図１８】変形例に係る円弧画像の表示態様の具体例を示した操作子付近の拡大図である。
【図１９】四角形状を有する操作子オーディオ機器に表示端末を装着した場合の操作子付近の拡大図である。
【図２０】表示端末が装着されたオーディオ機器の正面図を示す。
【発明を実施するための形態】
【００１０】
本発明の好適な実施形態によれば、情報出力装置であって、操作部と、表示端末を着脱可能に支持する支持部と、前記支持部に前記表示端末が装着されていない場合には、前記操作部が受け付けた操作を前記情報出力装置に対してのみ有効とする制御部と、を備え、前記制御部は、前記支持部に前記表示端末が装着されている場合には、前記操作部が受け付けた操作を少なくとも前記表示端末に対して有効とする。
【００１１】
上記情報出力装置は、操作部と、表示端末を着脱可能に支持する支持部と、制御部とを備える。制御部は、支持部に表示端末が装着されていない場合には、操作部が受け付けた操作を情報出力装置に対してのみ有効とし、支持部に表示端末が装着されている場合には、操作部が受け付けた操作を少なくとも表示端末に対して有効とする。この態様により、情報出力装置は、情報出力装置に対する操作と情報出力装置に装着された表示端末に対する操作との両方を操作部により好適に受け付けることができる。
【００１２】
上記情報出力装置の一態様では、情報出力装置は、前記操作部が受け付けた操作に応じたコマンド信号を、前記表示端末に対して送信する第１送信部を備える。この態様により、情報出力装置は、操作部の操作に応じたコマンド信号を表示端末に送信し、操作部の操作に応じた動作を表示端末に好適に実行させることができる。
【００１３】
上記情報出力装置の他の一態様では、情報出力装置は、コンテンツに関するコンテンツ情報を記憶する記憶部と、前記コンテンツ情報を前記表示端末に対して送信する第２送信部と、を備え、前記制御部は、前記表示端末が前記支持部に装着されている場合には、所定の条件に応じて、前記コンテンツ情報を、前記表示端末へ前記第２送信部により送信する。コンテンツ情報は、コンテンツを表示（再生）するための動画データ等に限らず、表示するコンテンツの選択画面を表示するための画像データ等も含む。この態様により、情報出力装置は、表示端末が支持部に装着されている場合に、所定の条件に応じて、情報出力装置の記憶部に記憶されたコンテンツ情報を表示端末に送信し、コンテンツの表示等を表示端末に実行させることができる。
【００１４】
上記情報出力装置の他の一態様では、前記制御部は、前記所定の条件として、前記操作部への所定の操作があった場合、所定の動作若しくは音声入力があった場合、又は前記表示端末への所定の操作があった場合に、前記コンテンツ情報を前記第２送信部に送信させる。この態様により、情報出力装置は、情報出力装置が記憶するコンテンツを、ユーザが指定したタイミングで表示端末に好適に表示させることができる。
【００１５】
上記情報出力装置の他の一態様では、情報出力装置は、前記支持部に前記表示端末が装着されていない場合に、出力するコンテンツに関する基本情報の表示を行う表示部を備え、前記制御部は、前記支持部に前記表示端末が装着されている場合に、前記基本情報と共に前記表示端末に表示させる前記コンテンツに関する追加情報を、前記コンテンツ情報として前記第２送信部により前記表示端末に送信する。この態様により、情報出力装置は、表示端末が装着された場合、表示端末の非装着時には表示できなかったコンテンツに関する追加情報を、表示端末により好適に表示することができる。
【００１６】
上記情報出力装置の他の一態様では、情報出力装置は、前記支持部を移動自在に保持する筺体部を備え、前記筺体部は、前記支持部が前記表示端末を支持する場合に、前記表示端末が装着される側の面である装着面より前記支持部を突出させ、前記支持部が前記表示端末を支持しない場合に、前記支持部を収納する。この態様により、情報出力装置は、表示端末を装着する場合にのみ支持部を装着面より突出させることができる。
【００１７】
上記情報出力装置の他の一態様では、前記筺体部は、前記支持部が前記表示端末を支持しない場合に、前記装着面と前記支持部の一の面とが、略同一平面となるように前記支持部を収納する。この態様により、情報出力装置は、表示端末の非装着時に支持部を好適に収納することができる。
【００１８】
上記情報出力装置の他の一態様では、前記支持部は、複数の支持手段を備え、前記複数の支持手段のうちの、少なくとも２つの支持手段間の幅は調整可能であり、前記操作部は前記複数の支持手段のうち少なくとも１つの支持手段に設けられている。この態様により、情報出力装置は、支持部により表示端末を支持可能としつつ、表示端末の装着時に操作可能な操作部を好適に設けることができる。
【００１９】
上記情報出力装置の他の一態様では、前記支持部が前記表示端末を支持する場合に、前記表示端末の正面視において、前記操作部の少なくとも一部は、前記表示端末の表示部と重なる。この態様により、ユーザが操作しやすい位置に操作部を好適に設けることができる。
【００２０】
本発明の他の好適な実施形態によれば、操作部と、表示端末を着脱可能に支持する支持部と、を有する情報出力装置が実行する制御方法であって、前記支持部に前記表示端末が装着されていない場合には、前記操作部が受け付けた操作を前記情報出力装置に対してのみ有効とする制御工程を有し、前記制御工程では、前記支持部に前記表示端末が装着されている場合には、前記操作部が受け付けた操作を少なくとも前記表示端末に対して有効とする。表示端末は、この制御方法を実行することで、情報出力装置に対する操作と情報出力装置に装着された表示端末に対する操作との両方を操作部により好適に受け付けることができる。
【００２１】
本発明の他の好適な実施形態によれば、操作部と、表示端末を着脱可能に支持する支持部と、を有する情報出力装置のコンピュータが実行するプログラムであって、前記支持部に前記表示端末が装着されていない場合には、前記操作部が受け付けた操作を前記情報出力装置に対してのみ有効とする制御部として前記コンピュータを機能させ、前記制御部は、前記支持部に前記表示端末が装着されている場合には、前記操作部が受け付けた操作を少なくとも前記表示端末に対して有効とする。コンピュータは、このプログラムを実行することで、情報出力装置に対する操作と情報出力装置に装着された表示端末に対する操作との両方を操作部により好適に受け付けることができる。上記プログラムは、好適には、記憶媒体に記憶される。
【実施例】
【００２２】
以下、図面を参照して本発明の好適な第１実施例及び第２実施例について説明する。
【００２３】
＜第１実施例＞
［情報出力システムの構成］
図１は、第１実施例に係る情報出力システムを示す。図１に示すように、情報出力システムは、車両に搭載されるオーディオ機器１と、オーディオ機器１により保持される表示端末２とを有する。以後では、オーディオ機器１の設置面と垂直な方向を「Ｚ軸方向」、オーディオ機器１と表示端末２とが重なる方向を「Ｙ軸方向」、Ｚ軸方向及びＹ軸方向に垂直な方向を「Ｘ軸方向」とし、各軸の正方向を図１に示す方向に定める。
【００２４】
オーディオ機器１は、略直方体の筺体部３を有し、筺体部３に設けられた支持部５Ａ〜５Ｃにより表示端末２を保持自在となっている。図１の例では、オーディオ機器１は、装着面６と表示端末２の背面とを重なり合わせて支持部５Ａ〜５Ｃに表示端末２を嵌め込むことで、表示端末２を保持している。支持部５Ａ、５Ｂは、表示端末２の短手方向（即ちＸ軸方向）において表示端末２を挟持する。支持部５Ｃは、表示端末２の重量を支えるように表示端末２の下端を把持する。また、支持部５Ｃには、可動のノブを有する操作子４が設けられている。操作子４は、例えばノブの直下にＢｌｕｅｔｏｏｔｈ（登録商標）リモコンが内装されたロータリーコマンダーであり、回転操作、押し込み操作、引っ張り操作、上下左右へノブをスライドさせる操作などの各種操作を受け付ける。後述するように、表示端末２がオーディオ機器１に装着された状態において、ユーザは、操作子４により、オーディオ機器１に対する操作と表示端末２に対する操作との両方を実行することが可能である。また、オーディオ機器１は、装着状態の表示端末２と有線又は無線により通信が可能であり、装着状態の表示端末２に対して操作子４の操作に基づく信号を送信したり、表示端末２の要求に基づき動画や画像などを表示するための情報を表示端末２に送信したりする。オーディオ機器１は、本発明における「情報出力装置」の一例であり、操作子４は、本発明における「操作部」の一例である。
【００２５】
表示端末２は、スマートフォンやタブレット端末であり、ディスプレイ２０を備える。表示端末２は、ユーザが指定した目的地への経路案内を実行するためのアプリケーション（「ナビアプリ」とも呼ぶ。）がインストールされており、経路案内等に関する情報をディスプレイ２０に表示する。また、表示端末２は、オーディオ機器１に装着された状態でオーディオ機器１と通信可能であり、オーディオ機器１から供給される情報に基づき動画等を表示する。以後では、表示端末２がオーディオ機器１に装着された状態を「装着状態」、表示端末２がオーディオ機器１に装着されていない状態を「非装着状態」とも呼ぶ。
【００２６】
次に、表示端末２が装着されていない状態のオーディオ機器１について図２〜図４を参照して説明する。
【００２７】
図２は、オーディオ機器１の正面図を示す。図２に示すように、オーディオ機器１の装着面６には、時刻、曲名、ラジオの受信周波数、イコライザ等に関する簡易な文字情報等を表示可能な簡易表示部７が設けられている。なお、図２に示す構成に加え、オーディオ機器１の上部又は側部等には、ＣＤ、ＤＶＤ、ブルーレイディスクの挿入口が設けられてもよい。上記の挿入口は、筺体部３とは別体に設けられてもよい。また、後述するように、支持部５Ａ、５Ｂは、筺体部３に収納された収納状態と、筺体部３の装着面６に対してＹ軸負方向側に突出した突出状態とを切替自在である。ここで、例えば、支持部５Ａは、支持部５Ａ、５Ｂを収納状態から突出状態へ切り替えるためのボタンとして機能し、支持部５Ｂは、オーディオ機器１又は／及び表示端末２による音声認識を開始するためのボタンとして機能してもよい。その他、オーディオ機器１は、一般的なオーディオ機器と同様に、ＵＳＢその他有線の外部端子挿入部、ＳＤカード等の外部メモリの挿入部などが筺体部３の側面や背面等に設けられてもよい。
【００２８】
図３は、オーディオ機器１の斜視図を示す。図３に示すように、支持部５Ｃには、表示端末２の端部を差し込むための溝が形成されており、装着面６から支持部５Ｃを隔てて操作子４が設けられている。なお、支持部５Ｃが形成する溝には、表示端末２と通信を行うためのドック等が設けられてもよい。この場合、例えば、ドックにタブレットが接続されたことをオーディオ機器１が検出すると、オーディオ機器１から表示端末２に所定の信号が送信されてペアリングが実行され、オーディオ機器１と表示端末２との間の電源供給やデータ通信が可能となる。また、支持部５Ａ、５Ｂは、筺体部３から延出したアーム８Ａ、８Ｂの先端に形成されている。そして、図３の例では、支持部５Ａ、５Ｂは、装着面６からＹ軸負方向側に突出しており、表示端末２を挟み込むことが可能な突出状態となっている。
【００２９】
図４（Ａ）は、支持部５Ａ、５Ｂが収納状態のときのオーディオ機器１のＸＹ平面図を概略的に示し、図４（Ｂ）は、支持部５Ａ、５Ｂが突出状態のときのオーディオ機器１のＸＹ平面図を概略的に示す。なお、図４（Ａ）、（Ｂ）では、説明の便宜上、操作子４や支持部５Ｃなどを図示していない。図４（Ａ）の例では、支持部５Ａ、５Ｂは、筺体部３の上部の隅に形成された溝に収容されており、その結果、Ｙ軸負方向を向いた支持部５Ａ、５Ｂの面と、装着面６とが面一（同一平面）となっている。
【００３０】
一方、図４（Ｂ）の例では、支持部５Ａ、５Ｂは、図４（Ａ）に示す収納状態において、支持部５Ａの押下等の所定の操作が行われたことに起因してＹ軸負方向に移動し、装着面６に対して突出している。この場合、支持部５Ａ、５Ｂは、装着面６に対して表示端末２の背面を摺動させるようにＺ軸正方向から挿入された表示端末２を、挟持することが可能となっている。
【００３１】
図５（Ａ）〜（Ｃ）は、筺体部３内における支持部５Ａ、５Ｂに関する機構を明示した透過図である。ここで、図５（Ａ）は、図４（Ａ）に示す収納状態に相当し、図５（Ｂ）は、図４（Ｂ）に示す突出状態に相当し、図５（Ｃ）は、図５（Ｂ）の状態から支持部５Ａ、５Ｂ間の幅を広げた状態を示す。
【００３２】
図５（Ａ）に示すように、一端に支持部５Ａが形成されたアーム８Ａの他端は、レール９Ａに嵌め込まれている。同様に、一端に支持部５Ｂが形成されたアーム８Ｂの他端は、レール９Ｂに嵌め込まれている。レール９Ａ、９Ｂは、Ｙ軸方向に移動自在な駆動板１０に対して固定されている。そして、図５（Ｂ）に示すように、支持部５Ａ、５Ｂが突出状態となった場合、アーム８Ａ、８Ｂは、それぞれレール９Ａ、９Ｂに対してＸ軸方向に摺動自在となる。図５（Ｃ）では、支持部５Ａ、５Ｂが互いに離れるようにアーム８Ａ、８Ｂをレール９Ａ、９Ｂに対して摺動させることで、支持部５Ａ、５Ｂ間の幅が長くなるように調整されている。同様に、支持部５Ａ、５Ｂが互いに近づくようにアーム８Ａ、８Ｂをレール９Ａ、９Ｂに対して摺動させることで、支持部５Ａ、５Ｂ間の幅が短くなるように調整することが可能である。
【００３３】
このように、支持部５Ａ、５Ｂは、表示端末２を挟持しないときには好適に筺体部３に収納され、かつ、表示端末２を挟持する際には表示端末２のＸ軸方向の幅に応じて支持部５Ａ、５Ｂ間の距離を調整自在となっている。
【００３４】
［オーディオ機器及び表示端末のブロック構成］
図６は、オーディオ機器１の概略的なブロック構成を示す。図６に示すように、オーディオ機器１は、出力部１１と、入力部１２と、記憶部１３と、通信部１４と、インターフェース１５と、制御部１７と、を備える。オーディオ機器１の各要素は、図示しないバスを介して相互に接続され、各要素間で必要な情報が伝送可能なように構成されている。
【００３５】
出力部１１は、簡易表示部７や図示しないスピーカなどを備え、制御部１７の制御に基づく出力を行う。入力部１２は、操作子４を含み、オーディオ機器１や表示端末２に対して利用者が行う必要な命令や情報を入力するための操作を受け付ける。なお、入力部１２は、操作子４に加え、各種コマンドやデータを入力するための、キー、スイッチ、ボタン、音声入力装置等を有してもよい。
【００３６】
記憶部１３は、オーディオ機器１の動作を制御するためのプログラムを保存したり、オーディオ機器１の動作に必要な情報を保持したりする。本実施例では、記憶部１３は、オーディオ機器１が再生するための音楽データ等に加え、表示端末２により出力可能な画像や動画などのコンテンツに関する情報を記憶している。また、記憶部１３は、後述する各種の処理を実行可能な表示端末２の機器認証を行うためのテーブル（「対応機器テーブルＴｃ」とも呼ぶ。）を記憶する。対応機器テーブルＴｃには、オーディオ機器１と後述の連携処理を実行可能な表示端末２の種別を示す端末ＩＤのリストなどが記録されている。
【００３７】
通信部１４は、制御部１７の制御に基づき、表示端末２等と有線または無線による通信を行う。通信部１４は、本発明における「第１送信部」及び「第２送信部」の一例である。インターフェース１５は、ＣＤ，ＤＶＤなどの挿込口、ＳＤカードなどの記憶媒体などの挿込口、ケーブルの挿込口などに相当するインターフェースである。
【００３８】
制御部１７は、図示しないＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）などを備え、オーディオ機器１内の各構成要素に対して種々の制御を行う。
【００３９】
例えば、制御部１７は、表示端末２が装着された場合に、表示端末２から表示端末２の機器ＩＤ等を通信部１４により受信することで、記憶部１３が記憶する対応テーブルＴｃを参照し、表示端末２がオーディオ機器１に対応した機器であるか否かの認証を行う。また、制御部１７は、表示端末２の装着状態において、操作子７による操作に基づき生成された信号（「コマンド信号Ｓｃ」とも呼ぶ。）を通信部１４により表示端末２へ送信する。コマンド信号Ｓｃは、操作子７が生成して制御部１７に供給する信号そのものであってもよく、表示端末２で認識できるように制御部１７が操作子７の生成信号を所定の形式に変換した信号であってもよい。
【００４０】
また、制御部１７は、表示端末２が表示するためのコンテンツに関する要求信号を通信部１４により表示端末２から受信した場合に、当該要求信号において指定されたコンテンツに関する情報（「コンテンツ情報」とも呼ぶ。）を通信部１４により表示端末２へ送信する。コンテンツ情報は、画像データや動画データ又は、画像や動画などのコンテンツを表示（再生）するための情報であってもよく、表示（再生）可能なコンテンツの名称やコンテンツのリストを表示するための情報であってもよい。制御部１７は、本発明における「制御部」及びプログラムを実行する「コンピュータ」として機能する。
【００４１】
なお、オーディオ機器１のブロック構成は、図１に限定されない。例えば、オーディオ機器１は、ＧＰＳ受信機等を有し、車両の走行軌跡、車速等を記憶するものであってもよい。この場合、オーディオ機器１は、表示端末２に対し、記憶した走行軌跡、車速等の情報を、経路案内に必要な情報として送信してもよい。
【００４２】
図７は、表示端末２の概略的なブロック構成を示す。図７に示すように、表示端末２は、出力部２１と、入力部２２と、記憶部２３と、通信部２４と、ＧＰＳ受信部２５と、制御部２７と、を備える。表示端末２の各要素は、図示しないバスを介して相互に接続され、各要素間で必要な情報が伝送可能なように構成されている。
【００４３】
出力部２１は、ディスプレイ２０や図示しないスピーカなどを備え、制御部２７の制御に基づく出力を行う。入力部２２は、ディスプレイ２０に積層されたタッチパネルなどを含み、利用者が行う必要な命令や情報を入力するための操作を受け付ける。なお、入力部２２は、各種コマンドやデータを入力するための、キー、スイッチ、ボタン、音声入力装置等をさらに有してもよい。
【００４４】
記憶部２３は、表示端末２の動作を制御するためのプログラムを保存したり、表示端末２の動作に必要な情報を保持したりする。本実施例では、記憶部２３は、経路案内等を実行するためのナビアプリを実行するためのプログラムやナビアプリの実行に必要な地図データ等を記憶する。また、記憶部１３は、操作子４と重なるディスプレイ２０上の領域（単に「重なり領域Ａｏ」とも呼ぶ。）を特定するためのテーブル（「重なり領域特定テーブルＴｏ」とも呼ぶ。）を記憶する。重なり領域特定テーブルＴｏには、本実施例に基づくオーディオ機器１として機能可能（即ち表示端末２の装着状態で表示端末２と連携処理を実行可能）なオーディオ機器の機器ＩＤごとに、重なり領域Ａｏを特定するための情報が記録されている。重なり領域特定テーブルＴｏに記録する機器ＩＤごとの重なり領域Ａｏを特定するための情報は、例えば予め実行した測定実験等に基づき生成される。
【００４５】
通信部２４は、制御部２７の制御に基づき、オーディオ機器１等と有線または無線による通信を行う。また、通信部２４は、制御部２７の制御に基づき、ナビアプリにより表示される経路案内画面の表示に必要な情報を、地図情報等を記憶する図示しないサーバ装置から受信してもよい。ＧＰＳ受信機２５は、複数のＧＰＳ衛星から、測位用データを含む下り回線データを搬送する電波を受信することで、表示端末２の現在位置の情報を生成し、制御部２７に送信する。
【００４６】
制御部２７は、図示しないＣＰＵ、ＲＯＭ及びＲＡＭなどを備え、記億部に保存されているアプリケーションを実行するなどして表示端末２内の各構成要素に対して種々の制御を行う。
【００４７】
例えば、制御部２７は、表示端末２がオーディオ機器１に装着された場合、オーディオ機器１からオーディオ機器１の機器ＩＤを通信部２４により受信し、当該機器ＩＤに基づき重なり領域特定テーブルＴｏを参照することで、重なり領域Ａｏを特定する。そして、制御部２７は、特定した重なり領域Ａｏに基づき操作子４を縁取りするための略円弧状の画像（単に「円弧画像Ｉｃ」とも呼ぶ。）を表示させる。また、制御部２７は、通信部２４がオーディオ機器１からコマンド信号Ｓｃを受信した場合に、コマンド信号Ｓｃに応じた処理を行う。
【００４８】
［重なり領域に基づく表示制御］
表示端末２は、オーディオ機器１への装着を検知した場合、オーディオ機器１から送信される機器ＩＤから重なり領域特定テーブルＴｏを参照して重なり領域Ａｏを特定し、特定した重なり領域Ａｏに応じて操作子４の外周に沿った円弧画像Ｉｃを表示する。また、表示端末２は、表示端末２が装着状態となることによって重なり領域Ａｏと重なることになった画像の表示位置を移動させる。これについて、図８〜図１０を参照して説明する。
【００４９】
図８は、ナビアプリが生成する経路案内画面を表示した表示端末２の装着状態での正面図を示す。図８の例では、表示端末２は、ディスプレイ２０上に、現在位置マーク３１及び経路線３２を含む地図画像と、現在時刻を示す時刻画像３３と、操作子４の回転操作により地図の拡大及び縮小が可能であることを示す円弧画像Ｉｃとを表示させている。
【００５０】
図９（Ａ）は、経路案内画面を表示した表示端末２の非装着状態での正面図を示す。また、図９（Ｂ）は、図９（Ａ）の状態で表示端末２をオーディオ機器１へ装着させた後の表示端末２の正面図である。図９（Ａ）の例では、表示端末２は、経路案内画面上に、主に現在位置マーク３１及び経路線３２を含む地図画像を表示すると共に、下端付近に時刻画像３３を表示させている。この状態で表示端末２がオーディオ機器１に装着された場合、表示端末２は、操作子４とディスプレイ２０との重なり部分を示す重なり領域Ａｏを特定する。そして、図９（Ｂ）に示すように、表示端末２は、特定した重なり領域Ａｏの外周に沿った円弧画像Ｉｃを新たに表示させる。例えば、表示端末２は、円弧画像Ｉｃが特定した略半円の重なり領域Ａｏの相似形となるように、円弧画像Ｉｃの形状を決定する。即ち、表示端末２は、重なり領域Ａｏと同一形状であって、重なり領域Ａｏを所定率だけ拡大した円弧画像Ｉｃを、円弧画像Ｉｃにより特定される円の中心が操作子４の中心と同一位置になるように表示させている。
【００５１】
さらに、表示端末２は、表示端末２がオーディオ機器１に装着された場合に、特定した重なり領域Ａｏと時刻画像３３の一部とが重なることを検知し、時刻画像３３の表示位置を、図９（Ａ）の表示位置（即ち図９（Ｂ）の破線の位置）から、所定画素分だけ上方に移動させている。その結果、図９（Ｂ）に示すように、時刻画像３３は、重なり領域Ａｏ及び円弧画像Ｉｃと重ならない位置に表示されている。
【００５２】
図１０（Ａ）、（Ｂ）は、長手方向におけるディスプレイ２２の長さが同一であって額縁の長さが異なる表示端末２Ａ、２Ｂが装着されたオーディオ機器１の正面図を示す。なお、ここでは、表示端末２Ａのディスプレイ２０の長手方向の長さは「Ｌａ」、表示端末２Ｂのディスプレイ２０の長手方向の長さは「Ｌｂ」であって、「Ｌａ＝Ｌｂ」が成立するものとする。
【００５３】
図１０（Ａ）、（Ｂ）に示すように、表示端末２Ａと表示端末２Ｂは、それぞれオーディオ機器１に装着された際に形成される重なり領域Ａｏの形状及び大きさが異なることから、それぞれ異なる形状及び大きさの円弧画像Ｉｃをディスプレイ２０上に表示させている。具体的には、表示端末２Ａは、操作子４の約上半分に相当する重なり領域Ａｏを特定し、特定した重なり領域Ａｏより所定率だけ大きい相似形の円弧画像Ｉｃを表示させている。また、表示端末２Ｂは、操作子４の上端部に相当する操作子４の約１／４の大きさを有する重なり領域Ａｏを特定し、特定した重なり領域Ａｏより所定率だけ大きい相似形の円弧画像Ｉｃを表示させている。
【００５４】
このように、表示端末２（２Ａ、２Ｂ）は、オーディオ機器１への装着状態で生じる重なり領域Ａｏに応じて円弧画像Ｉｃの表示態様を決定することで、操作子４を好適に縁取りした経路案内画面をディスプレイ２０に表示させることができる。この際、表示端末２は、オーディオ機器１の機器ＩＤごとに、当該表示端末２をオーディオ機器１に装着した場合の重なり領域Ａｏの情報を重なり領域特定テーブルＴｏとして予め記憶しているため、オーディオ機器１から受信する機器ＩＤに基づき、装着状態で生じる重なり領域Ａｏを的確に特定することができる。
【００５５】
なお、表示端末２は、経路案内画面に限らず、他の種々の画面を表示する場合においても、オーディオ機器１への装着時に特定した重なり領域Ａｏに応じて円弧画像Ｉｃを表示すると共に、重なり領域Ａｏと重なる画像の表示位置を重なり領域Ａｏと重ならない位置に移動させるとよい。
【００５６】
［操作に基づく制御］
次に、操作子４への操作等に基づき表示端末２が実行する制御について説明する。
【００５７】
表示端末２の装着状態では、ユーザは、操作子４等を操作することで、オーディオ機器１に対する指示（例えば音出力の指示）と、表示端末２に対する指示（例えば動画の再生指示）の両方が可能である。この場合、例えば、表示端末２は、表示端末２が装着された初期状態では、操作子４による操作を表示端末２に対する指示とみなし、操作子４の所定の操作（二秒長押し等）がなされたことをコマンド信号Ｓｃに基づき検知した場合に、操作子４による操作をオーディオ機器１に対する指示とみなす。また、オーディオ機器１は、表示端末２の装着状態において、操作子４の所定の操作（押し込みながら回転等）を検知した場合、情報を出力させるソースを切り替える。ここで、情報を出力させるソースは、例えば、オーディオ機器１が出力するラジオ、オーディオ機器１に差し込まれたディスクやＳＤカードなどの記憶媒体、オーディオ機器１の記憶部１３、表示端末２の記憶部２３などが該当する。
【００５８】
図１１は、経路案内画面が操作対象であった図８の状態から操作子４に対して所定の操作が行われることによってオーディオ機器１が出力する音楽データに関するミュージック画面へ操作対象が切り替わった状態を示す。
【００５９】
図１１の例では、表示端末２は、オーディオ機器１から受信したコマンド信号Ｓｃに基づき、操作子４の操作対象が表示端末２のナビアプリに基づく経路案内画面からミュージック画面へ切り替わったことを認識し、経路案内画面を上画面に表示すると共に、ミュージック画面を下画面に表示している。このように、図１１の例では、表示端末２は、操作対象であるミュージック画面を操作子４と重なる下画面に表示させる。そして、表示端末２は、出力中の音楽データに対する音量を操作子４の回転操作により変更可能である旨を示した円弧画像Ｉｃを表示させている。
【００６０】
また、表示端末２は、オーディオ機器１が出力する音楽データに関するタイトル、曲名、再生時間及びジャケット画像３４等の情報をコンテンツ情報として受信し、ミュージック画面上に表示させている。このように、表示端末２は、表示端末２の非装着時においてオーディオ機器１が音楽データを再生する際に簡易表示部７（図２参照）に表示させるタイトル等の基本情報に加えて、簡易表示部７には表示させないジャケット画像３４等に関する追加情報をミュージック画面に表示させる。なお、表示端末２は、上述の追加情報をオーディオ機器１から受信する代わりに、各種音楽データの情報を記憶する図示しないサーバ装置から受信してもよい。
【００６１】
図１２は、オーディオ機器１から供給される動画コンテンツの再生時でのディスプレイ２０の表示例を示す。図１２の例では、表示端末２は、オーディオ機器１の記憶部１３又はオーディオ機器１に差し込まれた記憶媒体等に記憶されている動画コンテンツのリストであるコンテンツリスト３７を下画面に表示すると共に、コンテンツリスト３７から選択されたコンテンツ「ＢＣＤＡＢ」の再生画面を上画面に表示している。この場合、表示端末２は、操作子４への操作に基づき、音量の変更や再生するコンテンツの切り替えなどを行う。
【００６２】
このように、表示端末２は、上画面及び下画面の両方でオーディオ機器１から供給されるコンテンツに関する画面の表示を行ってもよい。同様に、表示端末２は、上画面及び下画面の両方で表示端末２が記憶するコンテンツに関連する画面の表示を行ってもよい。また、表示端末２は、操作子４への所定の操作を検知した場合に、ディスプレイ２０の表示を１画面表示にするか分割画面表示にするかを切り替えてもよい。また、表示端末２は、分割画面を表示する代わりに、操作対象の画面（図１１の例ではミュージック画面）を前面にし、操作対象でない画面（図１１の例では経路案内画面）を背面にして表示させてもよい。
【００６３】
また、表示端末２は、表示端末２の装着状態において、操作子４への操作による入力以外の種々の入力を受け付けてもよい。例えば、表示端末２は、ディスプレイ２０へのタッチ操作をタッチパネルにより検出することで、ディスプレイ２０の表示の切り替え等を実行してもよい。他の例では、表示端末２は、図示しないカメラから撮影した利用者の時系列の画像を公知の画像認識処理により解析し、所定の動作（例えばジェスチャ）を検知した場合に、ディスプレイ２０の表示の切り替え等を実行してもよい。さらに別の例では、表示端末２は、音声入力装置に入力された音データを解析することで、所定のキーワードの発話を検知した場合に、ディスプレイ２０の表示の切り替え等を実行してもよい。
【００６４】
また、好適には、表示端末２は、操作子４等による所定の操作を検知した場合に、操作子４の操作により実行可能な機能の概要を示した操作説明画面をディスプレイ２０に表示させてもよい。
【００６５】
図１３は、操作子４の操作説明画面の表示例である。図１３に示す操作説明画面は、経路案内画面における操作子４による各操作と当該操作に関連付けられた機能との関係を示している。表示端末２は、経路案内画面をディスプレイ２０に表示させているときに所定の入力を検知し、図１３の操作説明画面を表示させている。なお、表示端末２は、経路案内画面以外の画面をディスプレイ２０に表示させている場合であっても、所定の入力を検知したときに、表示中の画面において操作子４による有効な操作の概要を示した操作説明画面を表示させてもよい。
【００６６】
［処理フロー］
図１４は、表示端末２と連携したオーディオ機器１の出力制御に関する処理手順の一例を示すフローチャートである。
【００６７】
まず、オーディオ機器１は、表示端末２が装着されたか否か判定する（ステップＳ１１）。例えば、オーディオ機器１は、表示端末２が装着された際に表示端末２と接続するドック（端子）から所定の入力を受信した場合、又は、表示端末２の装着を検知するスイッチ等から所定の入力を受信した場合、表示端末２が装着されたと判定する。
【００６８】
そして、オーディオ機器１は、表示端末２が装着されたと判定した場合、オーディオ機器１の機器ＩＤを装着状態の表示端末２へ送信する（ステップＳ１２）。この場合、表示端末２は、受信したオーディオ機器１の機器ＩＤから重なり領域特定テーブルＴｏを参照することで重なり領域Ａｏを決定し、円弧画像Ｉｃ等の表示態様を決定する。なお、オーディオ機器１は、表示端末２から表示端末２の機器ＩＤ等を受信し、対応機器テーブルＴｃを参照して表示端末２がオーディオ機器１に対応した機器であるか否かの認証を行ってもよい。
【００６９】
その後、オーディオ機器１は、操作子４への操作を検知したか否か判定する（ステップＳ１３）。そして、オーディオ機器１は、操作子４への操作を検知した場合（ステップＳ１３；Ｙｅｓ）、操作子４への操作に応じたコマンド信号Ｓｃを、表示端末２へ送信する（ステップＳ１４）。これにより、オーディオ機器１は、操作子４に対する操作に関する情報を表示端末２へ通知する。一方、オーディオ機器１は、操作子４への操作を検知しない場合（ステップＳ１３；Ｎｏ）、ステップＳ１５へ処理を進める。
【００７０】
次に、オーディオ機器１は、表示端末２からコンテンツ情報の送信要求があるか否か判定する（ステップＳ１５）。そして、オーディオ機器１は、表示端末２からコンテンツ情報の送信要求があった場合（ステップＳ１５；Ｙｅｓ）、要求されたコンテンツ情報を表示端末２へ送信する（ステップＳ１６）。この場合、要求されるコンテンツ情報は、オーディオ機器１が記憶するコンテンツに関する情報であってもよく、オーディオ機器１により読み込み可能な記憶媒体に記憶されたコンテンツに関する情報であってもよい。
【００７１】
次に、オーディオ機器１は、音楽データやラジオ等に関する出力要求があるか否か判定する（ステップＳ１７）。オーディオ機器１は、例えば、上述の出力要求を、表示端末２から受信する所定の要求信号に基づき検知する。そして、オーディオ機器１は、出力要求があった場合（ステップＳ１７；Ｙｅｓ）、指定された音楽データ等の出力を行う（ステップＳ１８）。一方、オーディオ機器１は、上述の出力要求を検知しない場合（ステップＳ１７；Ｎｏ）、ステップＳ１９へ処理を進める。
【００７２】
そして、オーディオ機器１は、表示端末２がオーディオ機器１から外されたか否か判定する（ステップＳ１９）。そして、オーディオ機器１は、表示端末２がオーディオ機器１から外されたと判断した場合（ステップＳ１９；Ｙｅｓ）、フローチャートの処理を終了する。一方、オーディオ機器１は、表示端末２がオーディオ機器１から外されていないと判断した場合（ステップＳ１９；Ｎｏ）、ステップＳ１３へ処理を戻す。
【００７３】
図１５は、表示端末２が実行するオーディオ機器１と連携した出力制御に関する処理手順の一例を示すフローチャートである。
【００７４】
まず、表示端末２は、オーディオ機器１へ装着されたか否か判定する（ステップＳ２１）。そして、表示端末２は、オーディオ機器１へ装着された場合、オーディオ機器１からオーディオ機器１の機器ＩＤを受信する（ステップＳ２２）。そして、この場合、表示端末２は、受信した機器ＩＤから重なり領域特定テーブルＴｏを参照することで、重なり領域Ａｏを特定する（ステップＳ２３）。そして、表示端末２は、ステップＳ２３で特定した重なり領域Ａｏに基づく円弧画像Ｉｃを表示する（ステップＳ２４）。これにより、表示端末２は、円弧画像Ｉｃにより操作子４を好適に縁取りし、操作性及びデザイン性を向上させることができる。
【００７５】
次に、表示端末２は、操作子４の操作に基づき生成されたコマンド信号Ｓｃをオーディオ機器１から受信したか否か判定する（ステップＳ２５）。そして、表示端末２は、コマンド信号Ｓｃをオーディオ機器１から受信した場合（ステップＳ２５；Ｙｅｓ）、コマンド信号Ｓｃに応じたディスプレイ２０の表示制御やオーディオ機器１に対するコンテンツ情報の要求信号の送信等を行う（ステップＳ２６）。なお、表示端末２は、コマンド信号Ｓｃを受信する他、図示しないカメラが撮影した画像に対する画像認識処理、音声入力装置に入力された音声に対する音声認識処理等に基づきユーザ入力を検知することで、ディスプレイ２０の表示制御等を行ってもよい。
【００７６】
次に、表示端末２は、オーディオ機器１から表示端末２が外されたか否か判定する（ステップＳ２７）。そして、表示端末２は、オーディオ機器１から表示端末２が外されたと判断した場合（ステップＳ２７；Ｙｅｓ）、フローチャートの処理を終了する。一方、表示端末２は、オーディオ機器１から表示端末２が外されていないと判断した場合（ステップＳ２７；Ｎｏ）、ステップＳ２５へ処理を戻す。
【００７７】
＜第２実施例＞
図１６は、第２実施例に係る情報出力システムの概略構成を示す。第２実施例に係る情報出力システムは、オーディオ機器１Ａと、表示端末２と、表示端末２を保持する表示端末支持具１９とを有する。このように、第２実施例に係る情報出力システムは、第１実施例のオーディオ機器１の端末保持機能を有する表示端末支持具１９がオーディオ機器１Ａと独立して設けられている点で、第１実施例に係る情報出力システムと異なる。その他、第１実施例と同様の構成については、適宜同一の記号を付し、その説明を省略する。
【００７８】
表示端末支持具１９は、操作子４と、支持部５Ａ〜５Ｃと、車室内のダッシュボードなどに表示端末支持具１９を設置するための取付部５１と、ワイヤレス給電コイル５２とを備える。ワイヤレス給電コイル５２は、表示端末支持具１９に装着された表示端末２に対し、非接触による電源供給を行う。また、表示端末支持具１９は、操作子４の操作に応じたコマンド信号Ｓｃを生成し、表示端末２の装着時にはコマンド信号Ｓｃを表示端末２へ送信し、表示端末２の非装着時にはコマンド信号Ｓｃをオーディオ機器１Ａへ送信する。また、図１６の例では、オーディオ機器１Ａは、ディスプレイ７Ａと、複数の操作ボタン５０とを有している。
【００７９】
図１７は、表示端末支持具１９のブロック構成を示す。図１７に示すように、表示端末支持具１９は、ワイヤレス給電コイル５２と、操作子４を含む入力部９０と、記憶部９１と、通信部９２と、制御部９３と、を有する。
【００８０】
記憶部９１は、表示端末支持具１９の動作を制御するためのプログラムを保存したり、表示端末支持具１９の動作に必要な情報を保持したりする。本実施例では、記憶部９１は、装着された表示端末２の機器認証を行う際に参照する対応機器テーブルＴｃを記憶する。対応機器テーブルＴｃには、コマンド信号Ｓｃに応じた処理を実行可能な表示端末２の端末ＩＤのリストなどが記録されている。通信部９２は、制御部９３の制御に基づき、オーディオ機器１Ａ又は表示端末２と無線または有線により通信を行う。
【００８１】
制御部９３は、図示しないＣＰＵ、ＲＯＭ及びＲＡＭなどを備え、表示端末支持具１９内の各構成要素に対して種々の制御を行う。本実施例では、制御部９３は、操作子４への操作に応じたコマンド信号Ｓｃを生成する。そして、制御部９３は、表示端末２の装着状態では、表示端末２に対してコマンド信号Ｓｃを通信部９２により送信し、表示端末２の非装着状態では、オーディオ機器１Ａに対してコマンド信号Ｓｃを通信部９２により送信する。なお、制御部９３は、表示端末２が表示端末支持具１９に装着されたことを、例えばワイヤレス給電コイル５２による給電開始を監視すること等により検知する。また、制御部９３は、表示端末２が装着された場合に、表示端末２から表示端末２の機器ＩＤ等を通信部９２等により受信することで、記憶部９１が記憶する対応テーブルＴｃを参照し、表示端末２が対応機器であるか否かの機器認証を行う。
【００８２】
また、第２実施例においても、表示端末２は、装着状態において、円弧画像Ｉｃの表示等を第１実施例と同様に実行する。この場合、表示端末２は、表示端末支持具１９として用いられ得る機器の機器ＩＤごとに重なり領域Ａｏを特定するための情報を記録した重なり領域特定テーブルＴｏを予め記憶しておく。そして、表示端末支持具１９は、表示端末２が装着されたことを検知した場合、表示端末２に対して表示端末支持具１９の機器ＩＤを通信部９２により送信する。その後、表示端末２は、第１実施例と同様、機器ＩＤから重なり領域Ａｏを特定し、特定した重なり領域Ａｏに基づき円弧画像Ｉｃの表示態様を決定したり、重なり領域Ａｏと重なる画像の表示位置を変更したりする。このように、第２実施例においても、表示端末２は、好適に円弧画像Ｉｃを表示させることができる。
【００８３】
＜変形例＞
以下、第１〜第２実施例に好適な各変形例について説明する。なお、これらの各変形例は、任意に組み合わせて上述の各実施例に適用することが可能である。
【００８４】
［変形例１］
円弧画像Ｉｃの表示態様は、図８等に示した形態に限定されない。図１８（Ａ）〜（Ｄ）は、変形例に係る円弧画像Ｉｃの表示態様の具体例を示した操作子４付近の拡大図である。
【００８５】
図１８（Ａ）の例では、操作子４の約１／４に相当する上端部分のみがディスプレイ２０と重なっており、重なり領域Ａｏが比較的小さい。また、図１８（Ｂ）の例では、操作子４の下端以外の約３／４に相当する部分がディスプレイ２０と重なっている。これらの場合であっても、表示端末２は、図１８（Ａ）、（Ｂ）の場合の重なり領域Ａｏをそれぞれ特定することで、ディスプレイ２０上の操作子４を縁取るように当該操作子４の外周に沿った円弧画像Ｉｃを表示させる。また、図１８（Ｃ）の例では、表示端末２は、ディスプレイ２０上の操作子４を囲む円弧画像Ｉｃの幅が操作子４の上方ほど短くなるように円弧画像Ｉｃを表示させている。同様に、図１８（Ｄ）の例では、表示端末２は、ディスプレイ２０上の操作子４を囲む円弧画像Ｉｃの幅が操作子４の上方ほど太くなるように円弧画像Ｉｃを表示させている。このように、円弧画像Ｉｃは、重なり領域Ａｏに基づいた種々の表示形態であってもよい。
【００８６】
図１９（Ａ）〜（Ｃ）は、四角形状を有する操作子４Ａを有するオーディオ機器１に表示端末２を装着した場合の操作子４Ａ付近の拡大図である。図１９（Ａ）の例では、表示端末２は、オーディオ機器１の機器ＩＤから重なり領域特定テーブルＴｏを参照することで特定した重なり領域Ａｏに基づき、ディスプレイ２０と重なる操作子４Ａの外周に対して均等な幅により縁取りを行う円弧画像Ｉｃを表示させている。一方、図１９（Ｂ）の例では、表示端末２は、操作子４Ａの上側の縁に沿った部分の幅を操作子４Ａの左右の縁に沿った部分の幅よりも太い円弧画像Ｉｃを表示させている。また、図１９（Ｃ）の例では、表示端末２は、重なり領域Ａｏとして操作子４Ａと支持部５Ｃとがディスプレイ２０と重なる領域を特定し、特定した重なり領域Ａｏを縁取りした円弧画像Ｉｃを表示させている。
【００８７】
このように、表示端末２は、領域特定テーブルＴｏを記憶しておくことで、種々の形態の操作子４を有するオーディオ機器１に装着された場合であっても、当該オーディオ機器１の操作子４を縁取りした円弧画像Ｉｃを好適に表示させることできる。また、表示端末２は、支持部５Ｃとディスプレイ２０との重なり部分を重なり領域Ａｏに含め、当該重なり領域Ａｏに応じた円弧画像Ｉｃを表示させることも可能である。
【００８８】
［変形例２］
操作子４は、支持部５Ｃに取り付けられる代わりに、支持部５Ａ又は支持部５Ｃに取り付けられてもよい。
【００８９】
図２０は、本変形例に係る表示端末２が装着されたオーディオ機器１の正面図を示す。図２０の例では、操作子４は、支持部５Ｂに取り付けられている。そして、表示端末２は、この場合、経路案内画面を表示すると共に、操作子４とディスプレイ２０との重なり領域Ａｏを特定し、特定した重なり領域Ａｏに基づき操作子４を縁取った円弧画像Ｉｃを表示させている。また、この場合、表示端末２は、重なり領域Ａｏと重なる画像が存在する場合には、当該画像の表示位置を重なり領域Ａｏと重ならない位置へ移動させる。このように、支持部５Ｂまたは支持部５Ａに操作子４が設けられる場合であっても、オーディオ機器１及び表示端末２は、第１実施例と同様の処理を実行する。第２実施例の表示端末支持具１９においても同様に、操作子４は、支持部５Ｃに代えて支持部５Ａ又は支持部５Ｂのいずれに取り付けられていてもよい。
【符号の説明】
【００９０】
１  オーディオ機器
２  表示端末
１１、２１  出力部
１２、２２  入力部
１３、２３  記憶部
１４、２４  通信部
１５  インターフェース
１７、２７  制御部
１９  表示端末支持具
２５  ＧＰＳ受信部
【図１】
2018055536.tif 000003
【図２】
2018055536.tif 000004
【図３】
2018055536.tif 000005
【図４】
2018055536.tif 000006
【図５】
2018055536.tif 000007
【図６】
2018055536.tif 000008
【図７】
2018055536.tif 000009
【図８】
2018055536.tif 000010
【図９】
2018055536.tif 000011
【図１０】
2018055536.tif 000012
【図１１】
2018055536.tif 000013
【図１２】
2018055536.tif 000014
【図１３】
2018055536.tif 000015
【図１４】
2018055536.tif 000016
【図１５】
2018055536.tif 000017
【図１６】
2018055536.tif 000018
【図１７】
2018055536.tif 000019
【図１８】
2018055536.tif 000020
【図１９】
2018055536.tif 000021
【図２０】
2018055536.tif 000022